(57)【要約】【課題】薄型化しつつ、照明カバーから均一な光を照射することのできる直照式の照明装置を提供する。【解決手段】本発明の照明装置は、照射方向が取付面に対して略垂直方向となるように複数の光源２２が搭載された光源モジュール２０の光出射方向側に、照明カバーと離間して設けられ、ＬＥＤ２２からの出射光を拡散させる拡散部材３０を備えている。【選択図】図１
2013025868.tif 000002
【特許請求の範囲】
【請求項１】
取付面に設置される照明装置において、
照射方向が上記取付面に対して略垂直方向となるように複数の光源が搭載された光源モジュールと、
光源モジュールからの光を透過する照明カバーと、
光源モジュールの光出射方向側に、照明カバーと離間して設けられ、光源モジュールからの出射光を拡散させる拡散部材とを備えることを特徴とする照明装置。
【請求項２】
上記取付面に設置されたシャーシを備え、
上記光源モジュールは、上記シャーシに設置されており、
上記拡散部材は、上記シャーシの外縁部に設けられた光源の光出射方向側に設けられていることを特徴とする請求項１に記載の照明装置。
【請求項３】
上記拡散部材は、上記光源モジュールと離間して設けられていることを特徴とする請求項１または２に記載の照明装置。
【請求項４】
上記光源モジュールは、光源の光出射方向側に拡散部材が実装されない非実装領域を有することを特徴とする請求項１〜３のいずれか１項に記載の照明装置。
【請求項５】
上記拡散部材で反射された光を反射させ、上記拡散部材に入射させる反射部材を備えることを特徴とする請求項１〜４のいずれか１項に記載の照明装置。
【請求項６】
上記光源モジュールと拡散部材との間に設けられたスペーサと、
上記拡散部材を上記スペーサを介して光源モジュールに固定する第１の固定部材とを備えることを特徴とする請求項１〜５のいずれか１項に記載の照明装置。
【請求項７】
上記光源モジュールをシャーシに固定する第２の固定部材と、
上記拡散部材を、第２の固定部材に固定する第３の固定部材とを備えることを特徴とする請求項２に記載の照明装置。
【請求項８】
上記拡散部材を光源モジュールに固定する第４の固定部材を備え、
上記拡散部材は、第４の固定部材による固定部位に、光源モジュール側に窪んだ鍔部を有することを特徴とする請求項１〜５のいずれか１項に記載の照明装置。
【発明の詳細な説明】
【技術分野】
【０００１】
本発明は、直照式の照明装置において、照明装置を薄型化しつつ、照明カバーから均一な光を照射することのできる照明装置に関する。
【背景技術】
【０００２】
ＬＥＤ（Light Emitting Diode：発光ダイオード）は、長寿命、低消費電力といった利点を有するため、照明装置の光源として採用されつつある。ＬＥＤを光源とする各種照明装置は、地球に優しい次世代の省エネルギー照明として注目されている。
【０００３】
例えば、特許文献１には、光源としてＬＥＤを備えた照明装置（シーリングライト）が開示されている。特許文献１の照明装置は、複数のＬＥＤが天井等の取付面に対して平行に設置された、いわゆる直照式の照明装置である。直照式の照明装置は、ＬＥＤの照射方向が取付面に対して垂直方向になるように設置されている。このため、ＬＥＤの照射方向が取付面に対して平行方向になるように設置され、天井側の反射面にて室内（床）側へ反射させる照明装置に比べて、直照式の照明装置は光量のロスが少ない。従って、直照式の照明装置は、室内を明るく照射することが可能である。
【先行技術文献】
【特許文献】
【０００４】
【特許文献１】特開２０１０−１４０７９７号公報（２０１０年６月２４日公開）
【発明の概要】
【発明が解決しようとする課題】
【０００５】
しかしながら、特許文献１の照明装置は、照明装置の薄型化と、透光カバーからの均一な光の照射とを同時に満たすことが困難であるという問題がある。
【０００６】
特許文献１の照明装置は、通常ＬＥＤを覆う乳白色の透光カバーを備えている。そして、透光カバーの内部に収容されたＬＥＤからの出射光が、透光カバーで拡散され、室内を照射する。
【０００７】
しかし、ＬＥＤと透光カバーとの距離が接近しすぎていると、ＬＥＤからの出射光が透光カバーで十分に拡散されず、透光カバーから均一な照射が困難になる。従って、透光カバーから均一な光を照射するためには、ＬＥＤは、透光カバーから、ある程度距離を置く必要がある。
【０００８】
具体的には、透光カバーから均一な光を照射する（透光カバーを均一に発光させる）ためには、ＬＥＤのピッチ（隣接するＬＥＤの間隔）と、ＬＥＤから透光カバーまでの距離とを一致させなければならない。つまり、照明装置の薄型化を実現するためには、ＬＥＤのピッチを狭くする必要がある。このため、照明装置を薄型化すればするほど、ＬＥＤの設置数も多くなる。その結果、ＬＥＤの点灯時の発熱量が設置数に比例して増加する。このため、ＬＥＤに発生した熱の放熱対策が不可欠となり、コスト高を招来する。このように、ＬＥＤのピッチを狭くすることにより、薄型化を図れば、ＬＥＤの数量増加による発熱やコスト高等の別の問題が生じてしまう。
【０００９】
一方、ＬＥＤの設置数を減らした上で、透光カバーから均一な光を照射するためには、ＬＥＤのピッチを広くし、そのピッチと同一となるように、ＬＥＤから透光カバーまでの距離を開ける必要がある。その結果、照明装置を均一に発光させることができるものの、照明装置の薄型化は実現することができない。
【００１０】
本発明は、上記課題を解決するためになされたものであり、その目的は、直照式の照明装置において、照明装置を薄型化しつつ、照明カバーから均一な光を照射することのできる照明装置を提供することにある。
【課題を解決するための手段】
【００１１】
本発明の照明装置は、上記の課題を解決するために、取付面に設置される照明装置において、
照射方向が上記取付面に対して略垂直方向となるように複数の光源が搭載された光源モジュールと、
光源モジュールからの光を透過する照明カバーと、
光源モジュールの光出射方向側に、照明カバーと離間して設けられ、光源モジュールからの出射光を拡散させる拡散部材とを備えることを特徴としている。
【００１２】
本発明に係る照明装置は、光源モジュールに搭載された光源の照射方向が、照明装置の取付面（設置面）に対して垂直方向である、いわゆる直照式の照明装置である。
【００１３】
上記の構成によれば、拡散部材が、光源モジュールの光出射方向側（つまり光路上）に設けられている。また、拡散部材は、光源モジュールからの光を透過する照明カバーと離間して設けられている。これにより、光源モジュールからの出射光は、拡散部材で拡散され、拡散された光が、照明カバーに到達する。従って、照明カバーから、均一な光を照射することができる。
【００１４】
つまり、上記の構成によれば、光源モジュールにおける光源のピッチを広く設定しても、光源モジュールから照明カバーの距離を、そのピッチに一致させることなく、照明カバーから均一な光を照射することができる。従って、光源のピッチよりも、光源モジュール（光源）から照明カバーまでの距離を短く設定することができる。
【００１５】
このように、上記の構成によれば、光源モジュールからの出射光が、照明カバーに到達する前に、拡散部材で拡散される。従って、直照式の照明装置において、照明装置を薄型化しつつ、照明カバーから均一な光を照射することができる。
【００１６】
なお、本明細書において、「略垂直方向」とは、取付面に対し厳密に垂直な方向に加え、実質的に垂直と見なすことができる方向も包含する意味である。
【００１７】
本発明の照明装置において、上記取付面に設置されたシャーシを備え、
上記光源モジュールは、上記シャーシに設置されており、
上記拡散部材は、上記シャーシの外縁部に設けられた光源の光出射方向側に設けられていてもよい。
【００１８】
本発明に係る照明装置において、照明装置の取付面に設置されたシャーシに搭載された光源モジュールのうち、シャーシの外縁部（端部）に搭載された光源からの出射光は、照明カバーの外縁部（端部）に到達しにくい。つまり、照明カバーの外縁部は、暗くなりやすい。
【００１９】
そこで、上記の構成によれば、拡散部材が、シャーシの外縁部に設けられた光源の光出射方向側に設けられている。これにより、シャーシの外縁部に設けられた光源からの出射光が、拡散部材によって拡散される。その結果、拡散部材で拡散された光が、暗くなりやすい照明カバーの外縁部に到達する。従って、照明カバーから均一な光をより確実に照射することができる。
【００２０】
本発明の照明装置において、上記拡散部材は、上記光源モジュールと離間して設けられていることが好ましい。
【００２１】
上記の構成によれば、拡散部材が、照明カバーだけでなく、光源モジュールとも離間して設けられている。これにより、光源モジュールからの出射光が、拡散部材で十分に拡散され、照明カバーに照射される。従って、照明カバーからより均一な光を照射することができる。
【００２２】
本発明の照明装置において、上記光源モジュールは、光源の光出射方向側に拡散部材が実装されない非実装領域を有していてもよい。
【００２３】
上記の構成によれば、光源モジュールの光出射方向側に、拡散部材が実装されない非実装領域が形成されるように、拡散部材が設けられている。つまり、光源の光出射方向側には、拡散部材が設けられていない非実装領域と、拡散部材が設けられた実装領域とが形成される。これにより、非実装領域では、光源からの出射光が、拡散部材で拡散されることなく、直接照明カバーに到達する。従って、拡散部材に入射することによる光源の出射光の損失、および、照明カバーに到達する光の光量の減少を低減することができる。一方、実装領域では、光源からの出射光が、拡散部材によって拡散される。従って、拡散部材による光源モジュールの出射光の拡散効果が得られる。それゆえ、出射光の損失および光量の減少を低減しつつ、照明カバーから均一な光を照射することができる。
【００２４】
なお、非実装領域の面積が大きければ、光源モジュールからの出射光の損失および光量の減少を低減することができる。一方、実装領域の面積が小さければ、拡散部材による光源モジュールの出射光の拡散効果を高めることができる。
【００２５】
本発明の照明装置において、上記拡散部材で反射された光を反射させ、上記拡散部材に入射させる反射部材を備えていてもよい。
【００２６】
上記の構成によれば、光源モジュールからの出射光が拡散部材で反射されても、反射部材が、拡散部材で反射された光を、拡散部材に入射させる。従って、光源モジュールの出射光の損失を低減しつつ、照明カバーに到達する光の光量が減少するのを抑制することができる。
【００２７】
本発明の照明装置において、上記光源モジュールと拡散部材との間に設けられたスペーサと、上記拡散部材を上記スペーサを介して光源モジュールに固定する第１の固定部材とを備えていてもよい。
【００２８】
上記の構成によれば、光源モジュールと拡散部材との間にスペーサが設けられているため、拡散部材の撓みを防止し、光源モジュールと拡散部材との距離を一定に保つことができる。また、スペーサによって拡散部材を支持しつつ、第１の固定部材によって拡散部材を光源モジュールに固定することもできる。
【００２９】
本発明の照明装置において、上記光源モジュールをシャーシに固定する第２の固定部材と、上記拡散部材を、第２の固定部材に固定する第３の固定部材とを備えていてもよい。
【００３０】
上記の構成によれば、光線モジュールを固定する第２の固定部材に、拡散部材を固定する第３の固定部材が固定される。このため、拡散部材の固定時には、第２の固定部材に対し、拡散部材の固定部位を位置合わせするだけでよい。従って、拡散部材を容易に固定することができる。
【００３１】
本発明の照明装置において、上記拡散部材を光源モジュールに固定する第４の固定部材を備え、上記拡散部材は、第４の固定部材による固定部位に、光源モジュール側に窪んだ鍔部を有するようになっていてもよい。
【００３２】
上記の構成によれば、第４の固定部材が、拡散部材に形成された鍔部の位置で、拡散部材を光源モジュールに固定する。鍔部は、拡散部材における光源モジュール側に窪んだ部分であるため、拡散部材には段差が形成される。従って、光源モジュールと拡散部材との間にスペーサを設けることなく、拡散部材を光源モジュールに固定することができる。
【発明の効果】
【００３３】
本発明によれば、直照式の照明装置において、照明装置を薄型化しつつ、照明カバーから均一な光を照射することができるという効果を奏する。
【図面の簡単な説明】
【００３４】
【図１】本発明の実施の一形態に係る照明装置に設けられた光源モジュールおよび拡散シートを示す断面図およびその部分拡大図であり、照明装置の取付面に対して垂直方向の断面を示す図である。
【図２】本発明の実施の一形態に係る照明装置示す図であり、（ａ）は断面図であり、（ｂ）は光出射面側からみた平面図である。
【図３】上記照明装置における光源モジュールの配置状態を示す平面図である。
【図４】上記照明装置における光源モジュールおよび拡散部材の平面図である。
【図５】上記照明装置における拡散部材の固定方法を示す断面図である。
【図６】上記照明装置における拡散部材の別の固定方法を示す断面図である。
【図７】上記照明装置における拡散部材のさらに別の固定方法を示す断面図である。
【発明を実施するための形態】
【００３５】
以下、本発明の一実施形態について図面に基づいて説明する。図２は、本発明の実施の一形態に係る照明装置１示す図であり、（ａ）は断面図であり、（ｂ）は光出射面側からみた平面図である。本実施形態の照明装置１は、天井の取付面Ｘに取り付けられるシーリングライトである。以下の説明では、便宜上、室内（床）側を「下方（下側）」、天井（取付面）側を「上方（上側）」として説明する。
【００３６】
図２のように、照明装置１は、天井等の取付面Ｘに対して平行に設置されたシャーシ１１と、シャーシ１１の外縁部に取り付けられた照明カバー１２と、照明カバー１２の中央部に形成された開口１４を閉ざすセンタカバー１３と、シャーシ１１の中央部から室内（床）側に突出した突出部材１５と、シャーシ１１に搭載された光源モジュール２０とを備えている。なお、図２は簡素化して記載されており、後述する拡散シートが省略されている。
【００３７】
照明装置１では、シャーシ１１および照明カバー１２の外形（平面視した形状）は、四角形の各々の辺および各々の角が丸みを帯びた形状となっている。シャーシ１１および照明カバー１２の外形は特に限定されるものではなく、円形や多角形等、見た目や好みに応じて、種々の形状・大きさが許容される。シャーシ１１および照明カバー１２の中央部には、開口１４が形成されている。この開口１４内には、天井に取り付けられたローゼット９０が挿入される。これにより、照明装置１が、取付面Ｘに着脱可能に装着される。
【００３８】
シャーシ１１は、例えば、アルミニウム、鉄、樹脂などの放熱性の高い材料から構成することができる。光源モジュール２０は、取付面Ｘに対して平行になるように、シャーシ１１に搭載されている。これにより、光源モジュール２０の点灯時に発生した熱を、シャーシ１１によって効率的に放熱することができる。さらに、シャーシ１１をアルミニウムや鉄などの光を反射する材料から構成すれば、シャーシ１１が、光源モジュール２０からの出射光を反射させる反射部としても機能する。
【００３９】
照明カバー１２は、シャーシ１１を覆うように設けられている。このため、照明カバー１２の内部に、シャーシ１１に搭載された突出部材１５および光源モジュール２０が収容され、これらを保護する。照明カバー１２は、光源モジュール２０からの出射光を透光および拡散させる。照明カバー１２は、照明装置１に設けられたグローブまたはシェードとも言い換えられる。照明カバー１２は、例えば、ガラスあるいは合成樹脂から形成することができる。光源モジュール２０に搭載されたＬＥＤ２２は点灯時の発熱量が比較的多いため、照明カバー１２は、耐熱性材料から形成することが好ましい。例えば、乳白色のポリカーボネート樹脂またはアクリルは、耐衝撃性、耐熱性、光拡散性に優れているため、照明カバー１２の構成材料として好適である。
【００４０】
突出部材１５は、シャーシ１１の中央部に固定されている。突出部材１５は中空になっており、内部に光源モジュール２０の電源回路部等の電子部品（図示せず）が収容される。照明装置１では、突出部材１５は、シャーシ１１の下面（床と対向する面）の中央部から突出している。突出部材１５は、内部に電子部品等を格納できる機能を有する限り、種々の形状・大きさが許容される。なお、突出部材１５は、放熱性の高い材料から形成されていることが好ましい。例えば、突出部材１５は、アルミニウム、鉄、樹脂等から構成することができる。これにより、突出部材１５の内部に設置される電子部品（特に電源回路）から発生する熱を、効率よく放熱することが可能となる。また、突出部材１５の表面は、白色の塗装がされていてもよいし、凹凸面（ブラスト処理された粗面）となっていてもよい。これにより、突出部材１５の表面に到達した光を反射させることができる。
【００４１】
光源モジュール２０は、取付面に対して平行に、シャーシ１１に設置されている。図３は、照明装置１における光源モジュール２０の配置状態を示す平面図であり、光源モジュール２０の出射面側を示している。図３では、図２における照明カバー１２およびセンタカバー１３を取り外した状態を示している。また、図３では、後述する拡散部材も省略している。
【００４２】
図３のように、光源モジュール２０は、ＬＥＤ基板２１と、ＬＥＤ基板２１に搭載された複数のＬＥＤ２２ａ・２２ｂから構成されている。ＬＥＤ２２ａ・２２ｂは、ＬＥＤ基板２１の搭載面に対して略垂直方向に光を出射する。図３では、白色のＬＥＤ２２ａと、電球色のＬＥＤ２２ｂとが、ＬＥＤ基板２１上に搭載されている。これにより、照明装置１は、白色、電球色、およびそれらの混色の照明が可能となる。照明装置１では、４枚の光源モジュール２０が、ネジ２３等の固定部材により、シャーシ１１の下面に四角形状に搭載されている。
【００４３】
なお、図３では、白色のＬＥＤ２２ａおよび電球色のＬＥＤ２２ｂが、それぞれ同数、等ピッチで設けられている。しかし、ＬＥＤ基板２１に搭載されるＬＥＤはこれに限定されるものではない。すなわち、ＬＥＤ基板２１には、単一色のＬＥＤが搭載されていてもよいし、異なる色のＬＥＤが異なるピッチで搭載されていてもよい。また、ＬＥＤの個数も任意に設定することができる。なお、以下では、ＬＥＤの色を区別しない場合には、単にＬＥＤ２２として説明する。
【００４４】
ここで、図１に基づいて、照明装置１の特徴的構成について説明する。図１は、照明装置１に設けられた光源モジュール２０および拡散部材３０を示す断面図およびその部分拡大図であり、照明装置１の取付面Ｘに対して垂直方向の断面を示す図である。
【００４５】
本実施形態に係る照明装置１は、光源モジュール２０が照明装置１の取付面（設置面）Ｘに対して平行に設けられた、いわゆる直照式の照明装置である。つまりＬＥＤ２２は、照射方向、つまりＬＥＤ２２の光軸が照明装置１の取付面Ｘに対して略垂直方向となるように光源モジュール２０に搭載されている。このため、照明装置１の薄型化と、照明カバー１２からの均一な照射とを同時に満たすことが困難であることは、上述の〔発明が解決しようとする課題〕で説明した通りである。
【００４６】
そこで、照明装置１は、光源モジュール２０の光出射方向側に、照明カバー１２（図１には示さず）と離間して設けられ、光源モジュール２０からの出射光を拡散させる拡散部材３０を備えることを最大の特徴としている。
【００４７】
すなわち、照明装置１では、拡散部材３０が、光源モジュール２０の光路上に設けられている。また、拡散部材３０は、光源モジュール２０を内部に収容する照明カバー１２と離間して設けられている。これにより、光源モジュール２０（ＬＥＤ２２）からの出射光は、拡散部材３０で拡散され、拡散された光が、照明カバー１２に到達する。従って、照明カバー１２から、均一な光を照射することができる。
【００４８】
つまり、照明装置１では、光源モジュール２０におけるＬＥＤ２２（ＬＥＤ２２ａ，２２ｂ）のピッチを広く設定しても、光源モジュール２０から照明カバー１２の距離を、そのピッチに一致させることなく、照明カバー１２から均一な光を照射することができる。従って、ＬＥＤ２２のピッチよりも、光源モジュール２０から照明カバー１２までの距離を短く設定することができる。
【００４９】
このように、照明装置１では、光源モジュール２０からの出射光が、照明カバー１２に到達する前に、拡散部材３０で拡散される。つまり、拡散部材３０を透過した光源モジュール２０の出射光の照射角度を拡げることができる。従って、直照式の照明装置１において、照明装置１を薄型化しつつ、照明カバー１２から均一な光を照射することができる。また、ＬＥＤ２２の種類によっては、ＬＥＤ２２の出射角度の範囲内で色が異なる場合がある。例えば、出射角度がＬＥＤ２２の光軸近傍においては白色が強く、光軸に対して出射角度が大きくなるに従って黄色かかる場合がある。このような場合であっても、ＬＥＤ２２の出射光は、拡散部材３０で混ざり合うため、照明カバー１２の発光面の色斑を防止することができる。
【００５０】
拡散部材３０は、光源モジュール２０（ＬＥＤ２２）からの出射光を光出射方向（照明カバー１２側）に拡散する機能を有していれば、特に限定されるものではない。拡散部材３０は、例えば、拡散材が分散されたポリカーボネート、ポリエステル、アクリル、ＰＥＴ（ポリエチレンテレフタラート）等から構成することができる。
【００５１】
なお、図１には、拡散部材３０の一例として、拡散シートが記載されている。しかし、拡散部材３０の形状は、シート状に限定されるものではなく、板状の部材（拡散板）であってもよい。
【００５２】
照明装置１において、拡散部材３０は、光源モジュール２０からの出射光を拡散するように、照明カバー１２と離間して設けられていれば、配置位置は特に限定されるものではない。
【００５３】
しかし、照明装置１において、照明装置１の取付面Ｘに設置されたシャーシ１１に搭載された光源モジュール２０のうち、シャーシ１１の外縁部（端部）に搭載されたＬＥＤ２２からの出射光は、照明カバー１２の外縁部（端部）に到達しにくい。図２の（ａ）に示すように、照明カバー１２の外縁部は、暗くなりやすく、暗部Ｄ１が形成されやすい。
【００５４】
そこで、拡散部材３０は、シャーシ１１の外縁部に設けられたＬＥＤ２２の光出射方向側に設けられていることが好ましい。言い換えれば、拡散部材３０は、照明カバー１２に形成される暗部Ｄ１に向かって、ＬＥＤ２２からの出射光が拡散されるように設けることが好ましい。このように、拡散部材３０が少なくともシャーシ１１の外縁部に設けられたＬＥＤ２２の光出射方向側に設けられることにより、シャーシ１１の外縁部に設けられたＬＥＤ２２からの出射光が、拡散部材３０によって拡散される。その結果、拡散部材３０で拡散された光が、暗くなりやすい照明カバー１２の外縁部（暗部Ｄ１）に到達する。従って、照明カバー１２から均一な光をより確実に照射することができる。
【００５５】
なお、拡散部材３０は、光源モジュール２０の全面に設ける必要はなく、部分的に設けてもよい。つまり、光源モジュール２０は、搭載されたＬＥＤ２２の光出射方向側に拡散部材３０が実装されない非実装領域が設けられていてもよい。非実装領域を設けることで、必要以上にＬＥＤ２２からの光が拡散されて光が吸収されることを防止して、照明カバー１２から出射される光量の低減を防止することができる。
【００５６】
照明装置１では、光源モジュール２０または拡散部材３０と、照明カバー１２との距離が接近しすぎていると、照明カバー１２越しに、光源モジュール２０または拡散部材３０が写ってしまう。つまり、光源モジュール２０に搭載されたＬＥＤ２２からの光が照明カバー１２に点状に現れ、均一な発光面が得られない。また、光源モジュール２０と拡散部材３０との距離が接近しすぎていると、拡散部材３０による光源モジュール２０からの出射光の拡散効果が低下する。このため、拡散部材３０は、光源モジュール２０と離間して設けられていることが好ましい。つまり、拡散部材３０は、照明カバー１２だけでなく、光源モジュール２０とも離間して設けられていることが好ましい。これにより、光源モジュール２０からの出射光が、拡散部材３０で十分に拡散され、照明カバー１２に照射される。従って、照明カバー１２からより均一な光を照射することができる。また、照明カバー１２越しに、光源モジュール２０が写るのを防ぐことができ、均一な発光面を得ることができる。従って、ユーザが照明カバー１２を見たときに違和感がなくなる。
【００５７】
また、図１の例では、光源モジュール２０のＬＥＤ基板２１におけるＬＥＤ２２の実装面に、反射部材４０が設けられている。反射部材４０は、拡散部材３０で、ＬＥＤ２２側に反射された光を再度反射させ、拡散部材３０に入射させるものである。このような反射部材４０を備えていれば、光源モジュール２０からの出射光が拡散部材３０で反射されても、反射部材４０が、拡散部材３０で反射された光を、拡散部材３０に入射させる。従って、拡散部材３０に入射することによる光源モジュール２０の出射光の損失、および、照明カバー１２に到達する光の光量の減少を低減することができる。
【００５８】
なお、反射部材４０は、拡散部材３０で、ＬＥＤ２２側に反射された光を再度反射させ、拡散部材３０に入射させることができれば、任意の位置に設定することができる。つまり、反射部材４０は、ＬＥＤ基板２１のＬＥＤ２２実装面に設置することに限定されるものではない。
【００５９】
また、反射部材４０は、ＬＥＤ基板２１におけるＬＥＤ２２の実装面に形成された反射シートであってもよいし、ＬＥＤ基板２１におけるＬＥＤ２２の実装面に光反射性塗料が塗布された反射層であってもよい。つまり、反射部材４０は、光源モジュール２０とは別体として設けられた反射シートであってもよいし、光源モジュール２０の一部として（一体的に）設けられた反射層であってもよい。
【００６０】
一方、図４は、照明装置１における光源モジュール２０および拡散部材３０の平面図である。上述のように、拡散部材３０は、光源モジュール２０の全面に設ける必要はなく、光源モジュール２０の一部に部分的に設けてもよい。つまり、光源モジュール２０の出射方向側には、拡散部材３０が実装されない非実装領域と、拡散部材３０が実装される実装領域とが形成されていてもよい。例えば、図４に示すように、拡散部材３０の外形は、光源モジュール２０の外形と略同一である。ただし、拡散部材３０には、開口３１が形成されており、光源モジュール２０の光出射方向側に拡散部材３０を配置したとき、開口３１内にＬＥＤ２２が配置されないようになっている。これにより、光源モジュール２０の光出射方向には、開口３１が形成された領域に非実装領域が、それ以外の領域（開口３１が形成されていない領域）に実装領域が、それぞれ形成される。その結果、非実装領域（開口３１部分）では、ＬＥＤ２２からの出射光が、拡散部材３０で拡散されることなく（拡散部材３０に入射することなく）、開口３１を通過して、直接照明カバー１２に到達する。従って、拡散部材３０に入射することによるＬＥＤ２２の出射光の損失、および、照明カバー１２に到達する光の光量の減少を低減することができる。一方、実装領域では、ＬＥＤ２２からの出射光が、拡散部材３０によって拡散される。従って、拡散部材３０による光源モジュール２０の出射光の拡散効果が得られる。それゆえ、非実装領域と実装領域とを形成することにより、ＬＥＤ２２の出射光の損失および光量の減少を低減しつつ、照明カバー１２から均一な光を照射することができる。
【００６１】
なお、非実装領域（開口３１）の面積が大きければ、光源モジュール２０からの出射光の損失および光量の減少を低減することができる。一方、実装領域の面積が小さければ、拡散部材による光源モジュールの出射光の拡散効果を高めることができる。従って、拡散部材３０に形成する開口３１の面積は、拡散部材３０による光源モジュール２０からの出射光の拡散効果に応じて決定すればよい。
【００６２】
なお、図４では、開口３１によって非実装領域が形成されるようになっている。しかし、拡散部材３０に開口３１を形成することなく、非実装領域と実装領域とを形成することもできる。例えば、拡散部材３０に開口３１を形成せず、拡散部材３０の外形を、光源モジュール２０の外形よりも小さくする。この場合も、光源モジュール２０が露出した領域が非実装領域となり、拡散部材３０が配置された領域が実装領域となる。つまり、光源モジュール２０が部分的に露出されるように、拡散部材３０を設置することにより、非実装領域と実装領域とを形成することが可能となる。
【００６３】
また、拡散部材３０がシャーシ１１の外縁部に設けられたＬＥＤ２２の光出射方向側にのみ部分的に設けられ、シャーシ１１の中央側に位置する光源モジュール２０のＬＥＤ２２は上記非実装領域とすることで、最小限の量の拡散部材３０を使用して特に暗くなりやすい照明カバー１２の外縁部から光を出射させることができ、かつシャーシ１１の中央側に位置するＬＥＤ２２からの光の損失を低減することができる。すなわち、照明装置１の光量の損失を低減するとともに均一な発光面を得ることができる。
【００６４】
一方、光源モジュールにおける実装領域では、ＬＥＤ２２からの出射光が全て拡散部材３０に入射するのではなく、一部の出射光は、拡散部材３０で光源モジュール２０側へ反射される。照明装置１が反射部材４０を備える場合、拡散部材３０で反射された光は、反射部材４０で再反射される。その結果、反射部材４０で再反射された光が上記非実装領域に向かうと、開口３１を通過して、直接照明カバー１２に到達する。一方、光源モジュール２０で再反射された光が上記実装領域に向かうと、拡散部材３０で拡散された光が、照明カバー１２に到達する。また、拡散部材３０に入射せず、拡散部材３０で光源モジュール２０側へ反射された光は、同様の経路を繰り返して進む。従って、拡散部材３０に入射することによる光源モジュール２０の出射光の損失、および、照明カバー１２に到達する光の光量の減少を低減することができる。
【００６５】
ところで、拡散部材３０は、光源モジュール２０に固定されている。拡散部材３０の固定方法は、拡散部材３０による光源モジュール２０の出射光の拡散効果が損なわない限り、任意の方法で固定することができる。拡散部材３０が、薄膜状の拡散シートからなる場合、拡散シートが必要以上に撓まないように固定することが好ましい。以下、図５〜図７に基づいて、拡散部材３０の固定方法について説明する。図５〜図７は、照明装置１における拡散部材３０の固定方法を示す断面図である。
【００６６】
図５の構成では、ＬＥＤ２２（光源モジュール２０）と拡散部材３０との間に一定の距離を設けるためのスペーサ５０が設けられている。また、拡散部材３０は、スペーサ５０を介してネジ（第１の固定部材）６１によって固定されている。具体的には、シャーシ１１、ＬＥＤ基板２１、反射部材４０には、固定用の開口２３が形成されている。ネジ６１は、拡散部材３０からこの開口２３を貫通している。これにより、１つのネジ６１により、ＬＥＤ基板２１、拡散部材３０、反射部材４０がシャーシ１１に固定される。従って、それぞれ別々に固定する作業を必要とすることなく作業を簡易化できるとともに、部品点数を削減することができる。このように、図５の構成では、ＬＥＤ２２（光源モジュール２０）と拡散部材３０との間にスペーサ５０が設けられているため、拡散部材３０の撓みを防止し、ＬＥＤ２２と拡散部材３０との距離を一定に保つことができる。また、スペーサ５０によって拡散部材３０を支持しつつ、ネジ６１によって拡散部材３０をＬＥＤ基板２１（光源モジュール２０）およびシャーシ１１に固定することもできる。
【００６７】
図６の構成では、ＬＥＤ基板２１および反射部材４０をシャーシ１１に固定するベースネジ（第２の固定部材）６２と、拡散部材３０を固定する拡散部材止めネジ（第３の固定部材）６３とが設けられている。具体的には、ベースネジ６２の軸部６２ａは、開口２３を貫通している。これにより、ＬＥＤ基板２１、拡散部材３０、反射部材４０が、シャーシ１１に固定される。また、ベースネジ６２の頭部６２ｂは、ＬＥＤ２２（光源モジュール２０）と拡散部材３０との間に設けられている。このため、頭部６２ｂが、スペーサとしても機能する。このため、拡散部材３０の撓みを防止し、ＬＥＤ２２と拡散部材３０との距離を一定に保つことができる。できる。さらに、頭部６２ｂには凹部が形成されており、この凹部に、拡散部材止めネジ６３の軸部６３ａが挿入される。一方、拡散部材止めネジ６３の頭部６３ｂは、拡散部材３０の下面（室内側の面）に当接している。これにより、拡散部材３０がベースネジ６２に固定される。このように、図６の構成では、ＬＥＤ基板２１（光源モジュール２０）をシャーシ１１に固定するベースネジ６２に、拡散部材３０を固定する拡散部材止めネジ６３が固定される。このため、拡散部材３０の固定時には、ベースネジ６２（頭部６２ｂ）に対し、拡散部材３０の固定部位を位置合わせするだけでよい。従って、拡散部材３０を容易に固定することができる。
【００６８】
図７の構成では、拡散部材３０をＬＥＤ基板２１に固定するネジ（第４の固定部材）が設けられている。さらに、図７の構成では、拡散部材３０の形状が、図５および図６の構成とは異なっている。すなわち、図５および図６では平坦な拡散部材３０であるのに対し、図７では拡散部材３０は、固定部位に鍔部３０ａが形成されている。鍔部３０ａは、拡散部材３０がＬＥＤ基板２１側へ窪んだ部分であり、鍔部３０ａの底面にはネジ６４が貫通するための開口が設けられている。ネジ６４は、拡散部材３０からこの鍔部３０ａの底面に設けられた開口および開口２３を貫通しており、鍔部３０ａの位置で、拡散部材３０を固定する。これにより、ネジ６４により、ＬＥＤ基板２１、拡散部材３０、反射部材４０がシャーシ１１に固定される。このように、図７の構成では、ネジ６４が、拡散部材３０に形成された鍔部３０ａの位置で、拡散部材３０および反射部材４０を、ＬＥＤ基板２１およびシャーシ１１に固定する。鍔部３０ａは、ＬＥＤ基板２１側へ窪んでおり、ＬＥＤ基板２１上に形成された反射部材４０に当接している。従って、鍔部３０ａが拡散部材３０に段差を形成することでＬＥＤ２２（光源モジュール２０）と拡散部材３０との間にスペーサを設けることなく一定の距離を設けることができ、拡散部材３０をＬＥＤ基板２１（光源モジュール２０）およびシャーシ１１に固定することができる。これにより、スペーサの位置合わせを行う必要がないので固定作業が容易になる。さらにスペーサが不要である分、部品点数を削減することができる。また、ネジ６４は、鍔部３０ａで拡散部材３０を固定するため、ネジ６４が拡散部材３０から室内側へ突出しない。従って、開口２３の近傍にＬＥＤ２２が設けられている場合でも、ネジ６４によりＬＥＤ２２の光が遮蔽されることを低減できる。
【００６９】
なお、本実施形態では、光源としてＬＥＤ２２を備える照明装置１について説明した。しかし、光源はＬＥＤ２２に限定されるものではなく、蛍光体、エレクトロルミネッセンス素子、半導体光源等の各種発光素子であってもよい。また、光源の色は任意に設定すればよい。
【００７０】
本発明は、上述した各実施形態に限定されるものではなく、請求項に示した範囲で種々の変更が可能であり、本実施形態にそれぞれ開示された技術的手段を適宜組み合わせて得られる実施形態についても本発明の技術的範囲に含まれる。
【符号の説明】
【００７１】
１  照明装置
１１  シャーシ
１２  照明カバー
２０  光源モジュール
２２  ＬＥＤ（光源）
３０  拡散部材
３０ａ  鍔部
４０  反射部材
５０  スペーサ
６１  ネジ（第１の固定部材）
６２  ベースネジ（第２の固定部材）
６３  拡散部材止めネジ（第３の固定部材）
６４  ネジ（第４の固定部材）
Ｘ  取付面
【図１】
2013025868.tif 000003
【図２】
2013025868.tif 000004
【図３】
2013025868.tif 000005
【図４】
2013025868.tif 000006
【図５】
2013025868.tif 000007
【図６】
2013025868.tif 000008
【図７】
2013025868.tif 000009